(57)【要約】      （修正有）【課題】スムーズに入退場可能で、容易に会員入会しやすく、チケットレスで従業員の仕事量も削減される愛玩動物施設使用会員ＩＣカードを提供する。【解決手段】愛玩動物施設使用会員ＩＣカードは、主に犬・猫含む動物取扱い施設で使用する会員制カードでドッグランやトリミング施設、一時預り含む犬猫用ホテルに関する施設で多店舗展開している施設店舗で１ヶ所にて初回登録し、カードの表面には上部にワクチン、狂犬病接種登録最新年度数３を入れ、愛犬の写真を真ん中に入れ、その下に愛犬の名前を記載、裏面には飼い主の名前７、会員番号８が情報として記載されている。チャージや回数券、ポイント加算、月会員費支払いができ、ワクチン、狂犬病などの証明書、会員登録としての証明としてカードサイズで小さく財布などに容易に携帯所持できることが好ましい。【選択図】図１
0003223718.tif 000002
【実用新案登録請求の範囲】
【請求項１】
愛玩動物施設使用会員ＩＣカードに於いて、主に犬・猫・鳥・小動物全般含む取扱い施設で使用する会員制カードとし、ドッグランやトリミング、猫カフェ、ドッグカフェ、小動物ふれあい施設、一時預り含む犬猫用ホテルや飼い主と一緒に泊まれるホテルなど動物に関する施設全般で多店舗展開している施設店舗で１ヶ所にて初回登録すれば次回使用時からは全国の加盟店ならどこでも犬ならばワクチン・狂犬病などの登録証提示なしで容易に使用することができることを特徴とする会員カード。
【請求項２】
愛玩動物施設使用会員ＩＣカードに於いて、ＩＣカードに限らずポイントカードやその他様々なカード全般を主に差し、会員登録を目的としたことを特徴とする請求項１の会員カード。
【請求項３】
愛玩動物施設使用会員ＩＣカードに於いて、ＩＣカード発行などとは別で、スマホなどを利用したアプリ会員システム（例：２次元バーコード利用（ＱＲコードなど））によりスマホ利用でカードフリーになったとしても愛玩動物用の施設を利用する会員の会員登録を目的としたことを特徴とする請求項１の会員カード。
【考案の詳細な説明】
【技術分野】
【０００１】本考案は、多店舗展開を考えておられるトリミング施設やドッグラン、一時預り含むホテルなど主に犬猫用施設の運営において、施設を使用しようと考えておられる御客様が容易に会員に入会しやすくなる内容やメリットがある会員ＩＣカードに関するものである。
【背景技術】
【０００２】ドッグランとは犬をリードに繋げないで運動させたり遊ばせたり自由に走らせることが出来る施設のことである。次の［０００３］からは犬が主に使用するドッグラン施設の会員カードに関する内容を例として掲載します。【０００３】最近ではペットから家族の一員として愛されている犬。人と同様に、犬にしても益々健康志向の高い飼い主が増加していることが伺え、人も犬にも健康重視が必要であることがわかる。【０００４】そんな中、監視・管理する人が常駐しない無料ドッグランでの現状に於いて、排泄物処理などマナーを守らない飼い主も多くなっているため、犬の散歩でさえ禁止の公園が都心やベッドタウンを中心に増えてきている。
現在では有料で、マナーを守る飼い主が使用するドッグランなども増加してきている。【０００５】今後、益々少子高齢化、リタイヤ世帯、共働き夫婦世帯、結婚しない人が増加していく中、既に犬猫中心にペットを飼う人が急増している。背景として日本では２００３年以降、１５歳以下の子供の人口より犬猫の飼育頭数のほうが上回り続けている。昔は番犬だった犬も現在は家族の一員とまでになっているため犬関連の遊びグッズや犬と一緒に楽しめれる施設もドッグランなどを中心に増え、ルールも様々である。
【考案の概要】
【考案が解決しようとする課題】
【０００６】ところでドッグランなどに関して次のような課題がある。
・愛犬をリードに繋がないで安全で健康に遊ばせる場所を探すのが難しい
・車で行くところが殆どで、徒歩圏内の公園や遊休地近くで犬を一時預りもできるようなドッグランなどの施設が近くにない
・適度に一緒に遊べる近所の愛犬友達を探す施設が近くにない
・多店舗施設展開しているところがあまりないため、行く所々で毎回、ワクチン・狂犬病などの接種証明登録証や飼い主身分証明提示、同意書などの手続きがあり時間をとられ面倒である
・犬との楽しいドライブ中などで急にドッグランを見つけて使用しようとした際、証明書を持参していなかったり、場所によってルールが違うため使用できず帰ることもある
・人気のある施設でも受付が基本１ヶ所のため、新規の方、常連客問わず犬を連れたまま順番に並んで待っていなくてはいけない【０００７】本考案は上記従来の問題点に着目して、ネットで簡単に同内容の加盟店を調べることが容易で、好きな時間に預けれたり散歩の途中やドライブの途中の休憩場の延長という気分転換でドッグランなどを使用可能。
よりスムーズで快適に使用するために登録や証明書の手続き時間を短縮でき、証明書の代わりになる新たな簡易的なものの提示により受付での待ち時間などの煩わしさから開放されることにより会員に入会したことによるメリットを感じられることを目的とする仕組みを提供したい。
【課題を解決するための手段】
【０００８】本考案に係る愛玩動物施設使用会員ＩＣカードは、前述の従来の問題点を根本的に改善したことであって、仕組みとして全国の多店舗展開している施設でならどこでも初回のみ新規会員手続きさえすれば、ワクチン・狂犬病など期限が切れる一年以内なら、データー入力された新たな会員ＩＣカードを持参し各施設に設置してあるＩＣカード読み取り機などに近づけることにより会員内容の確認ができ余計な手続き時間などなくスムーズにストレスなく入退場可能。
チケットレスで、従業員も作業内容が減り人件費削減にもなる。
またカードには愛犬の写真を貼ることが可能で災害時の行方不明時などに写真証明の手助けにもなる会員ＩＣカードである。
【考案の効果】
【０００９】本考案により、ワクチン・狂犬病などの証明書、また会員としての証明としてカードサイズなどで小さく財布などに容易に携帯所持することが可能。【００１０】本考案により、災害時などペットの行方不明時にスマホなどに保存していた写真が充電切れなどにより画面で見れなくなったとしても、カードに表記したペットの特徴を現す写真添付により証明することもできる会員ＩＣカードである。【００１１】本考案の会員ＩＣカードを読み取り機（ＩＣカードリーダライタ内蔵端末）［図３参考］に近づけてスムーズに入退場でき、また、残り金額がなくなってきたら電車などのチャージ機［図２参考］のような機械や券売機などにて使用者自ら必要金額分チャージ追加・更新ができることを特徴とした会員ＩＣカードである。【００１２】本考案の会員ＩＣカードは、初回の登録のみ手続きが必要で、その後ワクチン・狂犬病などの期限が切れるまでの１年間は手続きなく加盟店ならば全国どこでも使いたい時にスムーズに使えることを特徴とした会員ＩＣカードである。
【図面の簡単な説明】
【００１３】
【図１】  本考案の会員ＩＣカードのイメージサンプル図
【図２】  本考案の会員ＩＣカード用のチャージ機（電車用）の参考関連イラスト写真
【図３】  本考案の会員ＩＣカードリーダライタ内蔵端末の参考関連イラスト写真
【符号の説明】  ▲１▼会員ＩＣカード本体
▲２▼店舗及び施設名ロゴなど
▲３▼ワクチン・狂犬病接種登録証提示最新年度表記番号
▲４▼愛玩動物の写真
▲５▼愛玩動物の名前
▲６▼愛玩動物の▲３▼の接種日詳細、犬種、年齢、性別など表記
▲７▼飼い主の名前など
▲８▼会員番号表記
▲９▼その他注意事項や店舗施設代表電話番号など表記
【図１】
0003223718.tif 000003
【図２】
0003223718.tif 000004
【図３】
0003223718.tif 000005
【手続補正書】
【提出日】平成31年4月2日(2019.4.2)
【手続補正１】
【補正対象書類名】実用新案登録請求の範囲
【補正対象項目名】全文
【補正方法】変更
【補正の内容】
【実用新案登録請求の範囲】
【請求項１】
愛玩動物施設使用会員ＩＣカードに於いて、主に犬・猫・鳥・小動物全般含む取扱い施設で使用する会員制カード。ドッグランやトリミング、猫カフェ、ドッグカフェ、小動物ふれあい施設、一時預り含む犬猫用ホテルや飼い主と一緒に泊まれるホテルなど動物に関する施設全般で多店舗展開している施設店舗で１ヶ所にて初回登録する会員制カード。次回使用時からは全国の加盟店ならどこでも犬ならばワクチン・狂犬病などの登録証提示なしで容易に使用することができることを特徴とする会員制カード。
【請求項２】
請求項１に於ける会員制カードに於いて、ＩＣカードに限らずポイントカードやその他様々なカード全般を主に差し、会員登録を目的としたことを特徴とする会員制カード。
【請求項３】
請求項１，２に於ける会員制カードに於いて、ＩＣカード発行などとは別で、スマホなどを利用したアプリ会員システムで例えば２次元バーコード、ＱＲコードなど文字や数字データを記録する規格によりスマホ利用でカードフリーになったとしても愛玩動物用の施設を利用する会員の会員登録を目的としたことを特徴とする会員制カード。
【手続補正書】
【提出日】令和1年5月29日(2019.5.29)
【手続補正１】
【補正対象書類名】実用新案登録請求の範囲
【補正対象項目名】全文
【補正方法】変更
【補正の内容】
【実用新案登録請求の範囲】
【請求項１】
愛玩動物施設使用会員ＩＣカードに於いて、主に犬・猫・鳥・小動物全般含む取扱い施設で使用する会員制カードでドッグランやトリミング、猫カフェ、ドッグカフェ、小動物ふれあい施設、一時預り含む犬猫用ホテルや飼い主と一緒に泊まれるホテルなど動物に関する施設全般で多店舗展開している施設店舗で１ヶ所にて初回登録する会員制カード。
【請求項２】
請求項１に於ける会員制カードに於いて、ＩＣカードに限らずポイントカードやその他様々なカード全般を主に差し、会員登録を目的とし、そのサイズは財布や名刺入れに入るサイズとし、表面には愛犬の名前、住所、連絡先、飼い主の名前、愛犬写真が情報として記載されたことを特徴とする会員制カード。
【請求項３】
請求項１に於ける会員制カードに於いて、ＩＣカード発行などとは別で、スマホなどを利用したアプリ会員システムで例えば２次元バーコード、動物の様々な履歴の入ったＱＲコードなど文字や数字データを記録する規格によりスマホ利用でカードフリーになったとしても愛玩動物用の施設を利用する会員の会員登録を目的としたことを特徴とする会員制カード。
【手続補正書】
【提出日】令和1年7月31日(2019.7.31)
【手続補正１】
【補正対象書類名】実用新案登録請求の範囲
【補正対象項目名】全文
【補正方法】変更
【補正の内容】
【実用新案登録請求の範囲】
【請求項１】
愛玩動物施設使用会員ＩＣカードに於いて、主に犬・猫含む動物取扱い施設で使用する会員制カードでドッグランやトリミング施設、一時預り含む犬猫用ホテルに関する施設で多店舗展開している施設店舗で１ヶ所にて初回登録し、そのカードの表面には上部にワクチン、狂犬病接種登録最新年度数を入れ、愛犬の写真を真ん中に入れ、その下に愛犬の名前を記載、裏面には飼い主の名前、会員番号を情報として記載されたことを特徴とする会員制カード。
【請求項２】
請求項１に於ける会員制カードに於いて、チャージや回数券、ポイント加算、月会員費支払いができ、ワクチン、狂犬病などの証明書、会員登録としての証明としてカードサイズなどで小さく財布などに容易に携帯所持することが可能なことを特徴とする会員制カード。